(57)【特許請求の範囲】
【請求項１】
括り罠を仕掛けるときに使用する補助器具であって、
足落とし空間を介して両側に配置される補助器具基体(1,1a)を有し、
該補助器具基体(1,1a)は、足落とし空間側に向かって下り傾斜を有する傾斜誘導部(16)と、該傾斜誘導部(16)の外縁側に設けられており、罠を設置するときは括り輪(710)を止めておき、罠が作動するときには、括り輪(710)が離れるようにした括り輪設置手段(17)を備えており、
前記各補助器具基体(1,1a)は、接続部材(2)を介して連結または相互に結合されており、各補助器具基体(1,1a)と接続部材(2)との連結または結合箇所は、回動できるように構成されている、
括り罠用仕掛け補助器具。
【請求項２】
括り輪設置手段が、括り輪の大きさを変えることができる、二つ以上の設置手段(17,19)を備えている、
請求項１記載の括り罠用仕掛け補助器具。
【請求項３】
括り罠を仕掛けるときに使用する補助器具であって、
一対の補助器具基体(1,1a)を備えており、
該各補助器具基体(1,1a)は、一端側を接続部材(2)を介し所要間隔をおいて接続され、前記接続部材(2)に対する取付部(22)を中心に回動できるようにしてあり、
前記一対の補助器具基体には、互いに他方の補助器具基体と対向する側に、傾斜誘導部(16)が設けられ、該傾斜誘導部(16)の上部外縁部には、括りワイヤ(71)の括り輪(710)を装入することができると共に罠作動時に括り輪(710)を離脱させることができる括り輪装入溝(17)が設けられている、
括り罠用仕掛け補助器具。
【請求項４】
括り輪装入溝(17)に沿う所要の箇所に塑性変形または弾性変形させることができる係合爪部(18)を備えている、
請求項３記載の括り罠用仕掛け補助器具。
【請求項５】
接続部材(2)に対する補助器具基体(1,1a)の取付位置を接続部材(2)に沿って変化させることができる手段を備えた、
請求項３または４のいずれかに記載の括り罠用仕掛け補助器具。
【請求項６】
括り輪装入溝(17)の途中から傾斜誘導部(16)にかけて括り輪(710)を案内する括り輪案内部(19)が設けられており、括り輪案内部(19)は括りワイヤ(71)の括り輪(710)を括り輪装入溝(17)の全長にわたり装入した場合より括り輪(710)の径が小さくなるように形成されている、
請求項３ないし５のいずれかに記載の括り罠用仕掛け補助器具。
【発明の詳細な説明】
【技術分野】
【０００１】
本発明は、括り罠用仕掛け補助器具に関するものである。更に詳しくは、捕獲可能な範囲をより広くできるようにして、括り罠による捕獲対象獣の捕獲率を向上させたものに関する。
【背景技術】
【０００２】
イノシシやニホンジカなどの捕獲対象獣を捕獲するために、括り罠が使用されている。
括り罠は、括りワイヤの括り輪形状を楕円形等の所定の形状に整えて仕掛けられる。
括りワイヤの括り輪形状を所定の形状に正確に設定することができる補助器具としては、本願発明者が提案した特許文献１記載の「括り罠用空作動防止器具」がある。
【０００３】
この括り罠用空作動防止器具は、一対の空作動防止体を備えている。空作動防止体には、括りワイヤの括り輪を離脱できるようにして嵌め入れるための所要の形状の嵌入部が設けられており、両空作動防止体の間隔は調節可能である。
【０００４】
また、括り輪を嵌入部に嵌め入れることにより括り輪の形状を所定の形状に自動的に設定できる。空作動防止体は、仕掛け時の括り輪の内側または外側に配置されるようになっており、捕獲獣の足が括り輪を踏んだときには、その荷重を受けることにより括り罠を作動させないようにする。
【先行技術文献】
【特許文献】
【０００５】
【特許文献１】特願２００３−３６３８０２
【発明の概要】
【発明が解決しようとする課題】
【０００６】
前記括り罠用空作動防止器具は、括り罠の空作動を防止して、結果的に捕獲率を向上させるという、この発明の目的は達成できる。
しかしながら、本願発明者はさらに捕獲率を向上させた括り罠の製作に取り組み、試行の過程で、捕獲対象獣の足が直接踏板を踏まなくても、括り輪の内側を踏んだ足をその重さや圧力を利用して踏板へ誘導できれば、さらに捕獲率が向上するのではないかとの着想を得た。本願発明者は、この着想をもとに鋭意研究を重ね、本発明を完成するに至ったものである。
【０００７】
（本発明の目的）
本発明の目的は、括りワイヤの括り輪形状を所定の形状に正確に設定することができる補助器具において、捕獲対象獣の足が直接踏板を踏まなくても、括り輪の内側を踏んだ足をその重さや圧力を利用して踏板へ誘導することにより、捕獲率をより向上させることができる括り罠用仕掛け補助器具を提供することである。
【課題を解決するための手段】
【０００８】
本発明は、括り罠を仕掛けるときに使用する補助器具であって、
足落とし空間を介して両側に配置される補助器具基体を有し、
該補助器具基体は、足落とし空間側に向かって下り傾斜を有する傾斜誘導部と、該傾斜誘導部の外縁側に設けられており、罠を設置するときは括り輪を止めておき、罠が作動するときには、括り輪が離れるようにした括り輪設置手段を備えており、
前記各補助器具基体は、接続部材を介して連結または相互に結合されており、各補助器具基体と接続部材との連結または結合箇所は、回動できるように構成されている、
括り罠用仕掛け補助器具である。
【０００９】
本発明は、 括り輪設置手段が、括り輪の大きさを変えることができる、二つ以上の設置手段を備えているものでもよい。
【００１０】
本発明は、括り罠を仕掛けるときに使用する補助器具であって、
一対の補助器具基体を備えており、
該各補助器具基体は、一端側を接続部材を介し所要間隔をおいて接続され、前記接続部材に対する取付部を中心に回動できるようにしてあり、
前記一対の補助器具基体には、互いに他方の補助器具基体と対向する側に、傾斜誘導部が設けられ、該傾斜誘導部の上部外縁部には、括りワイヤの括り輪を装入することができると共に罠作動時に括り輪を離脱させることができる括り輪装入溝が設けられている、
括り罠用仕掛け補助器具である。
【００１１】
本発明は、括り輪装入溝に沿う所要の箇所に塑性変形または弾性変形させることができる係合爪部を備えているものでもよい。
【００１２】
本発明は、接続部材に対する補助器具基体の取付位置を接続部材に沿って変化させることができる手段を備えたものでもよい。
【００１３】
本発明は、括り輪装入溝の途中から傾斜誘導部にかけて括り輪を案内する括り輪案内部が設けられており、括り輪案内部は括りワイヤの括り輪を括り輪装入溝の全長にわたり装入した場合より括り輪の径が小さくなるように形成されているものでもよい。
【００１４】
傾斜誘導部を構成する斜面は、上下方向において表面の縦断面線が直線状であってもよいし、上へ膨らむか下へ凹むように湾曲した曲線または折れ線であってもよい。また、傾斜誘導部の角度は特に限定するものではなく、適宜設定することができる。
【００１５】
括り輪装入溝の形状は、括りワイヤの括り輪を装入して所定の大きさまたは形状に設定する基準となるものであれば特に限定しないが、例えば傾斜誘導部を円弧形に沿う形状であるが、これに限定はされない。
【００１６】
括り罠用仕掛け補助器具は、例えばステンレススチール板やアルミ板等をプレス成形によって形成してもよいし、プラスチックで型成形をして形成してもよいが、これらに限定されるものではない。
【００１７】
（作用）
本発明の括り罠用仕掛け補助器具（この作用の説明の項では、便宜上、仕掛け補助器具という）の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１８】
仕掛け補助器具は、獣道に括り罠を仕掛けるときに、括り罠のトリガー具に係止された踏板が傾斜誘導部の下側に位置するように配される。
次に、括り罠(7)が有している括りワイヤ(71)の括り輪(710)を仕掛け補助器具の括り輪装入溝(17)に装入する。括り輪装入溝(17)は、括り輪(710)を所定の大きさまたは形状に設定する基準となるものであり、括り輪(710)を装入すれば、括り輪(710)の大きさまたは形状は、あらかじめ括り輪装入溝(17)で決められている大きさ及び形状に設定される。
【００１９】
括り輪装入溝(17)の内側には、上部側が拡がり踏板側に向かうように誘導する傾斜誘導部(16)が設けられているので、捕獲対象獣の足が括り輪(710)の内側の傾斜誘導部(16)に乗ると、足はその重みと圧力で傾斜誘導部(16)の表面で滑り、下方へ誘導されるようにして落ちる。これによって、傾斜誘導部(16)の下方にある踏板(72)が足で踏まれ、括り罠(7)が作動し、捕獲対象獣の足が、括り輪装入溝(17)から離脱した括りワイヤ(71)の括り輪(710)によって括られ、捕獲対象獣は捕獲される。
このように、仕掛け補助器具によれば、捕獲対象獣の足が必ずしも踏板(72)に直接乗らなくても、少なくとも踏板(72)より拡がった傾斜誘導部(16)に入れば足を括ることができるので、捕獲率は向上する。
【００２０】
また、各補助器具基体(1,1a)は、接続部材(2)を介し所要間隔をおいて接続され、前記接続部材(2)に対する取付部(22)を中心に回動できるようにしてあるので、各補助器具基体(1,1a)を適宜方向へ回動させることにより、各補助器具基体(1,1a)と接続部材(2)がほぼ平行になるように折り畳むことができる。
【００２１】
括り輪装入溝(17)に沿う所要の箇所に塑性変形または弾性変形させて括り輪(710)を止める力を調節することができる係合爪部(18)を備えたものは、仮に括り輪(710)のワイヤに癖があっても、それを整えて所要の形状に設定することができる。
【００２２】
接続部材(2)に対する補助器具基体(1,1a)の取付位置を接続部材の長さ方向に沿って変化させることができるようにしたものは、括り罠(7)を仕掛ける場所の状況に合わせて補助器具基体(1,1a)の間隔を調節することができる。
【００２３】
括り輪装入溝(17)の途中から傾斜誘導部(16)にかけて括り輪(710)を案内する括り輪案内部(19)が設けられており、括り輪案内部(19)は括りワイヤ(71)の括り輪(710)を括り輪装入溝(17)の全長にわたり装入した場合より括り輪(710)の径が小さくなるように形成する等、括り輪設置手段が括り輪の大きさを変えることができるものは、狩猟法や条例等で括り罠の括り輪(710)の大きさに特に規制が設けられていない区域で使用する場合は、括り輪(710)を括り輪装入溝(17)だけに装入し、捕獲率が高くなるように括り輪(710)の径を大きくしてセットする。そして括り罠の括り輪(710)の大きさが規制されている区域で使用する場合は、各括り輪案内部(19)を通るようにして括り輪(710)をセットし、規定値を満たすようにする。
【発明の効果】
【００２４】
（ａ）本発明によれば、括りワイヤの括り輪形状を所定の形状に正確に設定することができる補助器具において、捕獲対象獣の足が直接踏板を踏まなくても、括り輪の内側を踏んだ足をその重さや圧力を利用して踏板へ誘導することができる。したがって、捕獲率をより向上させることができる。
また、各補助器具基体は、接続部材を介し所要間隔をおいて接続され、前記接続部材に対する取付部を中心に回動できるようにしてあるので、各補助器具基体を適宜方向へ回動させることにより、各補助器具基体と接続部材がほぼ平行になるように折り畳むことができる。したがって、自動車が入れないような山中の仕掛け場所までの運搬に便利である。
【００２５】
（ｂ）括り輪装入溝に沿う所要の箇所に塑性変形または弾性変形させて括り輪を止める力を調節することができる係合爪部を備えたものは、仮に括り輪のワイヤに癖がある等して括り輪の形状を整えにくい場合でも、それを整えて所要の形状に設定することができる。
【００２６】
（ｃ）接続部材に対する補助器具基体の取付位置を接続部材の長さ方向に沿って変化させることができるようにしたものは、罠を仕掛ける場所の状況に合わせて補助器具基体の間隔を調節することができる。
【００２７】
（ｄ）括り輪装入溝の途中から傾斜誘導部にかけて括り輪を案内する括り輪案内部が設けられており、括り輪案内部を括りワイヤの括り輪を括り輪装入溝の全長にわたり装入した場合より括り輪の径が小さくなるように形成する等、括り輪設置手段が括り輪の大きさを変えることができるものは、括り罠の括り輪の大きさに規制がない区域と規制がある区域で兼用することができる。
【図面の簡単な説明】
【００２８】
【図１】本発明に係る括り罠用仕掛け補助器具の第１実施の形態を示す斜視図。
【図２】図１に示す罠用仕掛け補助器具の形態を示し、（ａ）は正面図、（ｂ）は平面図、（ｃ）は（ｂ）におけるＢ−Ｂ断面図。
【図３】図１に示す罠用仕掛け補助器具の形態を示し、（ａ）は底面図、（ｂ）は右側面図、（ｃ）は図２（ｂ）におけるＡ−Ａ断面図。
【図４】図１に示す罠用仕掛け補助器具を括り罠と組み合わせた状態を示す斜視図。
【図５】図１に示す罠用仕掛け補助器具を使用して括り罠を仕掛けた状態を示す断面説明図。
【図６】図５の平面視説明図。
【図７】図１に示す括り罠用仕掛け補助器具を折り畳んだ形態を示す斜視図。
【図８】本発明に係る括り罠用仕掛け補助器具の第２実施の形態を示す斜視図。
【図９】図８に示す罠用仕掛け補助器具の形態を示し、（ａ）は正面図、（ｂ）は平面図、（ｃ）は（ｂ）におけるＤ−Ｄ断面図。
【図１０】図８に示す罠用仕掛け補助器具の形態を示し、（ａ）は底面図、（ｂ）は右側面図、（ｃ）は図２（ｂ）におけるＣ−Ｃ断面図。
【図１１】図８に示す罠用仕掛け補助器具を使用して括り罠を仕掛けた状態を示す平面視説明図。
【図１２】図８に示す括り罠用仕掛け補助器具を折り畳んだ形態を示す斜視図。
【発明を実施するための形態】
【００２９】
本発明を図面に示した実施の形態に基づき詳細に説明する。
【実施例】
【００３０】
図１は本発明に係る括り罠用仕掛け補助器具の一実施の形態を示す斜視図、
図２は図１に示す罠用仕掛け補助器具の形態を示し、（ａ）は正面図、（ｂ）は平面図、（ｃ）は（ｂ）におけるＢ−Ｂ断面図、
図３は図１に示す罠用仕掛け補助器具の形態を示し、（ａ）は底面図、（ｂ）は右側面図、（ｃ）は図２（ｂ）におけるＡ−Ａ断面図である。
【００３１】
罠用仕掛け補助器具Ｇは、一対のステンレススチール製の補助器具基体１、１ａを備えている。補助器具基体１、１ａは、長さ方向の一端側が接続部材２を介し所要間隔をおいて接続されており、それらの間は足落とし空間１００となっている。
補助器具基体１、１ａは対称形であるので、構造についての詳細は一方の補助器具基体１についてのみ説明する。なお、各図面において、補助器具基体１ａの各部の符号については補助器具基体１と同じ箇所に同じ符号を付与する。
【００３２】
補助器具基体１は、横板１１と縦板１２からなり断面Ｌ字状のベース体１０を備えている。横板１１の基端側の縦板１２寄りには、通孔（図では見えない）が設けられている。また、横板１１の両端寄りには、杭を打ち込むための円形の貫通した杭孔１３がそれぞれ設けられている。ベース体１０の縦板１２の中央よりやや先端寄りには、括り輪受体１４が溶接により固着されている。                     
【００３３】
括り輪受体１４は、プレス成形によって形成されており、縦板１２への固定部である縦部１５を有している。縦部１５の上部には上部側が円弧状に拡がった傾斜誘導部１６が続けて設けられている。これにより、傾斜誘導部１６は外側へ膨らんだ湾曲した斜面となっている。
傾斜誘導部１６の上部には、上部縁から板材を断面凹状に窪ませるように曲げ変形させて括り輪設置手段である括り輪装入溝１７が水平に設けられている。括り輪装入溝１７は、溝の幅及び深さが括りワイヤの括り輪を装入することができると共に罠作動時に括り輪を離脱させることができるように形成されている。
【００３４】
括り輪装入溝１７は、平面視でほぼ円弧状に設けられ、その長さ方向の両端には、括り輪装入溝１７を構成する外板１７０を一部上方へ突出させて係合爪部１８が設けられている。係合爪部１８は、ペンチ等の工具を利用して内外方向へ簡単に塑性変形させることができる。係合爪部１８を変形させて括り輪装入溝１７の幅を変えることにより、括り輪を止める力を調節することができ、例えばワイヤに癖がある場合も括り輪装入溝１７に収めやすい。
【００３５】
前記構造の補助器具基体１、１ａは、前記のように長さ方向の一端側が接続部材２を介し接続されている。接続部材２は、各傾斜誘導部１６を避ける位置に設けられている。
接続部材２は、細い長方形状の鉄板で形成されている。接続部材２の長さ方向の両側には、それぞれ所要の間隔をおいて二箇所に貫通したネジ孔２０、２１が設けられている。ネジ孔２０、２１は孔の内周部に雌ネジを刻設したものである。
【００３６】
補助器具基体１、１ａは、傾斜誘導部１６同士を対向させ、ネジ孔２０、２１に対し通孔を合わせてネジ２２で取り付けられている。補助器具基体１、１ａの間隔は、取り付けるネジ孔を変えることで調節できる。補助器具基体１、１ａは、ネジ２２を締め付けることで接続部材２に固定することができ、ネジ２２を適度に緩めれば取付部であるネジ２２を中心として回動させることができる。
【００３７】
（作用）
図４は図１に示す罠用仕掛け補助器具を括り罠と組み合わせた状態を示す斜視図、
図５は図１に示す罠用仕掛け補助器具を使用して括り罠を仕掛けた状態を示す断面説明図、
図６は図５の平面視説明図、
図７は図１に示す括り罠用仕掛け補助器具を折り畳んだ形態を示す斜視図である。
図１ないし図７を参照して括り罠用仕掛け補助器具Ｇの作用を説明する。
【００３８】
仕掛け補助器具Ｇは、獣道に括り罠７を仕掛けるときに、括り罠７のトリガー具７３に一端側を係止された踏板７２（図５、図６において想像線で図示）が括り輪受体１４の縦部１５（傾斜誘導部１６より下方）に位置するように配される。なお、踏板７２の他端側は接続部材２の上に載置される。
【００３９】
ここで、跳上げ式の括り罠７の構造を簡単に説明する。括り罠７は、基アーム７５と跳上げアーム７０を有し、両アームはバネ７６の付勢力で拡がる構造である。７４は固定用の杭である。基アーム７５の先端にはトリガー具７３が設けられ、トリガー具７３には、木製の四角形状の踏板７２が載置されている。
【００４０】
トリガー具７３の四箇所には爪板７３０が所要間隔をおいて立設されている。各爪板７３０には、括りワイヤ７１の括り輪７１０が外側から掛けられる。括り輪７１０は、締め金具７１１を有している。この括り罠７は、踏板７２が捕獲対象獣の足で踏まれると、トリガー具７３が外れて跳上げアーム７０が跳ね上がり、括りワイヤ７１の括り輪７１０が絞られて足が括られる。
【００４１】
そして、括り罠７を仕掛けるときは、まず図５に示すように括り罠７を獣道に掘られた仕掛け用穴８の側に杭７４で固定する。
仕掛け補助器具Ｇの補助器具基体１、１ａは各ネジ２２で平行になるよう固定される。補助器具基体１、１ａの括り輪装入溝１７の高さは、仕掛け用穴８の上部口縁の高さに設定され、杭孔１３に固定用杭９を通して打ち込んで固定されている。括り罠７の括りワイヤ７１の括り輪７１０は、括り輪装入溝１７に装入されている。
【００４２】
符号７７は受け木で、括り輪７１０において補助器具基体１、１ａの間の部分の真下に補助器具基体１、１ａに架け渡すようにして載置されている。受け木７７は、空作動になりやすい前記補助器具基体１、１ａの間の部分のワイヤを踏んだときにも足を受けて踏板７２を落とさないようにして空作動を防止するものである。
仕掛け補助器具Ｇは、括り輪７１０や括り罠７と共に、それらの上に盛ってある土や草、枯れ葉などによってカムフラージュされている。
【００４３】
前記仕掛けの完了後、イノシシなどの捕獲対象獣が獣道を移動してきて、括り輪装入溝１７に装入されている括り輪７１０の内側の傾斜誘導部１６に乗ると、足はその重さ及び圧力で斜面を滑るようにして落ちて踏板７２を踏み抜く。
これによって、括り罠７のトリガー具７３が外れて跳上げアーム７０が跳ね上がる。同時に括り輪７１０も上方へ引っ張られて括り輪装入溝１７から離脱して絞られ、捕獲対象獣の足が括り輪７１０によって括られて、捕獲対象獣は捕獲される。
【００４４】
このように、括り罠用仕掛け補助器具Ｇによれば、捕獲対象獣の足が必ずしも踏板７２に直接乗らなくても、少なくとも踏板７２より拡がった傾斜誘導部１６に入れば足を括ることができるので、捕獲率は向上する。
【００４５】
また、補助器具基体１、１ａは、接続部材２を介し所要間隔をおいて接続され、接続部材２に対する取付部であるネジ２２を中心に回動できるようにしてあるので、補助器具基体１、１ａを適宜方向へ回動させることにより、補助器具基体１、１ａと接続部材２がほぼ平行になるようにしてコンパクトに折り畳むことができる（図７参照）。
【００４６】
図８は本発明に係る括り罠用仕掛け補助器具の第２実施の形態を示す斜視図、
図９は図８に示す罠用仕掛け補助器具の形態を示し、（ａ）は正面図、（ｂ）は平面図、（ｃ）は（ｂ）におけるＤ−Ｄ断面図、
図１０は図８に示す罠用仕掛け補助器具の形態を示し、（ａ）は底面図、（ｂ）は右側面図、（ｃ）は図９（ｂ）におけるＣ−Ｃ断面図、
図１１は図８に示す罠用仕掛け補助器具を使用して括り罠を仕掛けた状態を示す平面視説明図、
図１２は図８に示す括り罠用仕掛け補助器具を折り畳んだ形態を示す斜視図である。
【００４７】
括り罠用仕掛け補助器具Ｇ２は、各括り輪受体１４に括り輪案内部である括り輪案内部１９が設けられている点を除き、前記括り罠用仕掛け補助器具Ｇと同様の構造を有している。
なお、本実施の形態では、図面において前記括り罠用仕掛け補助器具Ｇと同等箇所に同一符号を付して示し、構造について重複する説明は基本的に省略する。
【００４８】
括り輪案内部１９は括り輪設置手段を構成し、各括り輪受体１４の括り輪装入溝１７から傾斜誘導部１６へかけて形成されている。括り輪装入溝１７は、材料が板体であるので表裏面を貫通した穴状に形成されている。各括り輪受体１４に形成されている括り輪案内部１９の方向は、平面視において接続部材２へ向けて内方へ傾斜するよう形成されており、各括り輪案内部１９の形状は線対称となっている。
【００４９】
各括り輪案内部１９の長さ方向両端部の底縁１９１、１９２は、括り輪装入溝１７の底とほぼ同じ高さになるように形成されており、セットするときに括り輪７１０を水平に誘導できるようにしている。また、各括り輪案内部１９の幅は、ワイヤ７１の太さよりやや広くなるように形成されており、括り輪７１０をセットするときのワイヤ７の装入がしやすいようにすると共に罠が作動するときの括り輪７１０の離脱がスムーズに行われるようにしている。
【００５０】
また、各括り輪受体１４において括り輪案内部１９が形成される位置は、本実施の形態では、各括り輪案内部１９を通るように括り輪７１０をセットしたときに、ほぼ楕円形になる括り輪７１０の径小側の内幅（内径：図１１におけるＬ）が、１２ｃｍになるように設定されている。これは、平成１９年４月１６日施行の狩猟法の規定に対応するものであり、各括り輪案内部１９が形成される位置及び数は、将来的に狩猟法の改正が行われる場合、その規定に合わせて適宜設定することができる。
【００５１】
（作用）
括り罠用仕掛け補助器具Ｇ２は、前記括り罠用仕掛け補助器具Ｇとほぼ同様に罠７と組み合わせて獣道に仕掛けることができる。
括り罠用仕掛け補助器具Ｇ２は、例えば狩猟法や自治体の条例で括り罠の括り輪７１０の大きさに特に規制が設けられていない区域で使用する場合は、図４ないし図６に示す前記前記括り罠用仕掛け補助器具Ｇと同様に括り輪７１０を括り輪装入溝１７だけに装入し、捕獲率が高くなるように括り輪７１０の径を大きくしてセットする。
【００５２】
そして、括り罠の括り輪７１０の大きさが規制されている区域で使用する場合は、図１１に示すように各括り輪案内部１９を通るようにして括り輪７１０をセットし、罠７を仕掛ける。括り輪７１０は、その撓み性で自然に膨らむように曲げることにより、Ｌの幅が１２ｃｍになり、規定値を満たすことができる。
このように、括り罠用仕掛け補助器具Ｇ２は、括り罠の括り輪７１０の大きさに規制がない区域と規制がある区域で兼用ができる。
【００５３】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５４】
Ｇ  括り罠用仕掛け補助器具
１、１ａ  補助器具基体
１０  ベース体
１１  横板
１２  縦板
１３  杭孔
１４  括り輪受体
１５  縦部
１６  傾斜誘導部
１７  括り輪装入溝
１７０  外板
１８  係合爪部
１００  足落とし空間
２  接続部材
２０、２１  ネジ孔
２２  ネジ
７  罠
７０  跳上げアーム
７１  ワイヤ
７１０  括り輪
７１１  締め金具
７２  踏板
７３  トリガー具
７３０  爪板
７４  杭
７５  基アーム
７６  バネ
７７  受け木
８  仕掛け用穴
９  固定用杭
Ｇ２  括り罠用仕掛け補助器具
１９  括り輪案内部
１９１、１９２  底縁
【図１】
0005188432.tif 000002
【図２】
0005188432.tif 000003
【図３】
0005188432.tif 000004
【図４】
0005188432.tif 000005
【図５】
0005188432.tif 000006
【図６】
0005188432.tif 000007
【図７】
0005188432.tif 000008
【図８】
0005188432.tif 000009
【図９】
0005188432.tif 000010
【図１０】
0005188432.tif 000011
【図１１】
0005188432.tif 000012
【図１２】
0005188432.tif 000013